(57)【要約】【課題】  主として人や風景を撮影する汎用カメラで溶接中の溶接作業者の目視認識と同等の画像を撮影、この画像データを利用する。【解決手段】  ＭＩＧ・ＭＡＧ溶接の溶接部を短絡期間で撮影する為、溶接電圧値・溶接電流値を基に撮影タイミングを決定し、定められた露出時間で静止画像を撮影、但し露出時間内に短絡期間が過ぎた場合はこの画像を未使用とし、これを繰り返し、撮影した静止画像データを利用機器が利用する。画像データには０．０１秒単位以下の撮影時間間隔をメタデータとして付加し撮影時間間隔でイメージデータを連続放映する。【選択図】  図１
2018187651.tif 000002
【特許請求の範囲】
【請求項１】
起動ブロックと撮影ブロックと利用ブロックで構成するシステムで、起動ブロックでは溶接電圧値と溶接電流値の少なくとも一方が閾値に達した時にまたは前記閾値に到達後一定の時間が経過した時にシャッター開始信号を発するとともに溶接電圧値が閾値より低い電圧からその閾値に達した時にシャッター停止信号を発する、次の撮影ブロックでは起動ブロックからのシャッター起動信号を受けカメラが定められた露出時間で静止画像を撮影しその画像データを利用ブロックに転送する、次の利用ブロックでは撮影ブロックから転送された静止画像の画像データを利用機器に転送し利用機器がこの画像データを利用する、この一連の処理を行うシステムであって、前記露出時間内に起動ブロックからシャッター停止信号が発せられた場合は撮影した画像データは未使用とし、前記露出時間内に起動ブロックからのシャッター停止信号が無かった場合のみ撮影した画像データを転送することを特徴とするＭＩＧ・ＭＡＧ溶接の撮影と利用のシステム。
【請求項２】
請求項１で記述した一連の処理が完了した後、引き続き請求項１で記述した一連の処理を繰り返し行い連続して静止画像を撮影し画像データを利用機器に転送するシステムにあって、利用ブロックにおいて請求項１で記述した静止画像の画像データを利用機器に転送する処理が完了した時にまたは請求項１で記述した画像データを未使用とした時に処理完了信号を起動ブロックに発信しそして起動ブロックはこの処理完了信号を受信した後に請求項１で記述した一連の処理を行う、または起動ブロックにおいて請求項１で記述した一連の処理に必要な一定の処理時間が経過したことを確認した後に請求項１で記述した一連の処理を行う、または撮影ブロックにおいて請求項１で記述した一連の処理に必要な一定の処理時間が経過したことを確認した後に撮影ブロックは起動ブロックからのシャッター起動信号を受けつけ請求項１で記述した一連の処理を行うことを特徴とする請求項１に記載のＭＩＧ・ＭＡＧ溶接の撮影と利用のシステム。
【請求項３】
請求項２で記述した画像データには、直前の画像データと今の画像データの撮影時刻の時刻差である撮影時間間隔データを直前の画像データのメタデータとして付加した画像データであること、ただしこの撮影時間間隔データは０．０１秒単位以下の精度であること、そして利用機器がこの画像データを再生する場合は、画像データのイメージデータを再生し、連続する次のイメージデータの再生は今再生している画像データのメタデータの撮影時間間隔経過後に次の画像のイメージデータを再生する、これを繰り返し連続して再生することを特徴とする請求項２に記載のＭＩＧ・ＭＡＧ溶接の撮影と利用のシステム。
【発明の詳細な説明】
【技術分野】
【０００１】
本発明はＭＩＧ・ＭＡＧ溶接法で溶接施工を行っている溶接部をカメラで撮影しその撮影画像を利用するシステムに関するものである。
【背景技術】
【０００２】
溶接中の作業者は  溶接光保護マスク／メガネなどの減光フィルターを介して熟練した目視力で溶接部を見ながら作業者の経験と技能で溶接作業を行っているが、熟練溶接作業者は減少、この対策が課題となっている。
【０００３】
この熟練作業を少しでも支援するために、溶接中の溶接電流や溶接電圧などの溶接パラメータを保護マスクに内蔵したディスプレーに表示し、減光フィルターを通して作業者が目視している溶接部の状況とディスプレーの溶接パラメータを同時に目視できるようにした作業支援装置が特許文献１に記載されている。
【０００４】
保護メガネに取り付けた新規に考案された高性能カメラで撮影した鮮明な溶接部画像を同メガネに取り付けたディスプレーに表示し、溶接部の状態が鮮明に認識できるようにして作業者の目視力を支援する装置が特許文献２に記載されている。
【０００５】
溶接品質を作業者の目視力や熟練度だけに頼るのではなく、少しでも目視力や熟練度への依存を軽減するためこのような提案がなされてはいるが普及していない。
【０００６】
溶接の研究時にカメラで溶滴移行などの溶接現象を画像記録し解析することはよく知られているが、この場合のカメラはダイナミックレンジの広い高速度撮影が出来る卓上設置型の専用高性能カメラが使用され、このカメラは非常に高額なもので、一般の溶接作業支援では高速度撮影は不要でかつ大きさの面等からもこのようなカメラを一般の溶接工程で採用することは難しい。
【０００７】
熟練溶接作業に頼らない自動溶接、その視覚情報撮影システムについて着目すると、研究用と同様なダイナミックレンジの広い専用高性能撮影システムの採用（特許文献３）、溶接中の溶接部の鮮明な画像撮影に障害となる特定波長のアーク光を遮光するフィルターの採用（特許文献４）、アーク光より強い強度の特定波長の撮影光・レーザの照射（特許文献５および６）、主にパルスＴＩＧ溶接法においてアーク光の弱い特定タイミングで撮影する方法（特許文献６および７および８）が考案され、発電設備など高額な溶接物を高品質に溶接するあるいは溶接をモニタリングするための自動溶接大型設備に採用されてはいるが、一般の手溶接等の汎用溶接工程ではこのようなカメラの適用実績は無い。
【０００８】
汎用の手溶接用トーチのトーチ本体先端部に小型カメラを取り付けシールドガスでカメラレンズをスパッタから保護しノズル内側から溶接部を撮影する、一般のロボット溶接や手溶接等の溶接工程での使用を目的としたカメラ搭載トーチが特許文献９、１０に記載されている。
【先行技術文献】
【特許文献】
【０００９】
【特許文献１】特開２０１３−５０４４３７号公報
【特許文献２】特開２００１−２５９８８３号公報
【特許文献３】特開２０１３−２０７４３９号公報
【特許文献４】特開２００９−２２０１７２号公報
【特許文献５】特開平８−１７４２１７号公報
【特許文献６】特開平８−２６７２４７号公報
【特許文献７】特開２００３−２２０４７０号公報
【特許文献８】特開平９−１５５５４４号公報
【特許文献９】特開２００３−１６４９７１号公報
【特許文献１０】特開２０１７−０５６４７６号公報
【発明の概要】
【発明が解決しようとする課題】
【００１０】
近年携帯電話等に適用する小型カメラの開発が進み、特許文献３に示されるようなダイナミックレンジが非常に広い研究用等の高性能撮影システムの性能には及ばないが、風景や人物を撮影する範囲で人の目が感じる高輝度から暗部まで撮影可能な高性能ＣＭＯＳイメージセンサーやＣＰＵ／ＦＰＧＡ等の画像処理用マイクロプロセッサーが安価に提供されるようになってきた。
【００１１】
高性能高機能な光学フィルター、液晶ディスプレー、デジタル記憶装置、デジタルカメラの顔認証に代表される画像処理ソフトなども汎用化され安価に提供されている。
【００１２】
小型高性能な各種デジタル機器／技術が安価に提供され、この汎用小型カメラとその技術を用いて一般溶接工程で汎用的に使用できる特許文献２に示すような溶接部を鮮明に認識できる溶接作業支援機器の実用化の可能性が出てきたが、被写体である溶接部のアークと溶融池と溶接部周辺の溶接物表面の輝度の差は、風景や人物を高輝度から暗部まで日常使用の範囲で撮影可能にした汎用小型カメラのダイナミックレンジ性能ではまだまだ満足できない大きな輝度の差がある。
【００１３】
溶接現象の研究撮影用をはじめ特許文献３に示されたようなダイナミックレンジの非常に広い高性能撮影システムは高額であり、一般の汎用溶接作業で使用することは経済的に出来ない。
【００１４】
本発明が解決しようとする課題は、溶接部の状況を撮影し、熟練した溶接作業者が目視し頭脳で認識している状況と同様の溶接部の状況を保護マスクに内蔵したディスプレーに放映する、溶接施工管理等のため必要な場合はこの動画を録画再生する、あるいはロボットが自律的に溶接するための溶接部の視覚情報として熟練した溶接作業者が目視し頭脳で認識している状況と同様の溶接部の画像データを利用する、これを携帯電話用等の技術で開発された安価な汎用小型カメラを用いて実現することにある。
【課題を解決するための手段】
【００１５】
日常生活で使用する安価な汎用小型カメラでは溶接部を鮮明に撮影するには不足する性能（例えばダイナミックレンジ等）を、図１に示す溶接電源３と波形解析信号発生器２からなる起動ブロックＸと、カメラ１とストップウオッチ８・画像判定ユニット９等からなる撮影ブロックＹと、バッファー処理ユニット１７と溶接光保護マスク４やロボット５やパソコン２０などからなる利用ブロックＺの、Ｘ・Ｙ・Ｚ３種のブロックで一つのシステムを構成して、以下に詳細を記すＭＩＧ・ＭＡＧ溶接の溶滴移行現象を応用した短絡光を主体とした撮影用照射光により静止画像を撮影する新規な方法とこの静止画像を連続して撮影する新規な方法と連続して撮影した画像を動画として放映する新規な方法で安価な汎用小型カメラの不足する性能を補足する手段をとる。なお、Ｘ・Ｙ・Ｚのブロックは機能を表現したもので、例えばＸとＹが物理的に同じプリント基板上に有っても良い。
【００１６】
ＭＩＧ・ＭＡＧ溶接のアーク溶接現象の溶滴移行には短絡移行・ドロップ移行（グロビュール移行）・スプレー移行が有り、溶接電流とシールドガスや溶接ワイヤ径により移行形態が異なるが、最も汎用的な溶接施工、Φ１．２のワイヤと炭酸ガスあるいは２０％以下の炭酸ガスを含むアルゴンガスをシールドガスとする約２５０アンペア以下のＭＡＧ溶接では短絡移行あるいは時に短絡を含むドロップ移行となる。
【００１７】
厚板を大電流でＭＩＧ・ＭＡＧ溶接する場合やパルスＭＩＧ溶接を除き、一般の汎用的なＭＩＧ溶接の場合、あるいはΦ１．２以外のワイヤを用いたＭＡＧ溶接のなど他の一般的に施工されている汎用的な溶接の場合も短絡移行あるいは短絡を含むドロップ移行となる。
【００１８】
この一般的に施工されている汎用的な溶接時の溶接電圧と溶接電流は、溶接機の電圧・電流計では略一定の値を示しているが、ミリ秒の単位で見ると一定ではなく図２の上段と中段に示すように上下に大きく変化している。
【００１９】
図２の上段の溶接電流波形Ｃは円弧状の曲線を接続した形状、中段の溶接電圧波形Ｖは直線を接続した上下の区分が明確な矩形波に近い形状である。
【００２０】
近年溶接電源がインバータ制御になり、短絡後の溶接電流の立ち上がり速度が急峻になる、さらにはスパッタを抑制するために溶接電流を波形制御する等の場合には図２の波形と多少異なる場合があるが、基本はこの波形であり、溶滴移行の基本は変わらない。
【００２１】
ワイヤが母材に短絡した時の電気抵抗とアークが発生している時のアーク柱の電気抵抗の違い等により溶接電圧波形Ｖは図２の中段のような短絡期間Ｄとアーク期間Ａから構成され、これを合わせた波形が短絡周期Ｆで繰り返される。
【００２２】
わずかに垂下する溶接電源の電源特性によるアーク長の自己制御作用、ワイヤスプールからワイヤは定速送給されるがトーチ先端までの送給経路での摩擦（機械的抵抗）のため細いワイヤは送給経路を蛇行しスティックスリップした状態でチップに送給される送給性、溶融プールの揺動などの総合的な結果、短絡期間Ｄとアーク期間Ａは一定にはならず、一般的に施工されている汎用的なＭＡＧ溶接では、短絡期間Ｄは約２〜２０ｍｓｅｃ、短絡周期Ｆは約５〜１００ｍｓｅｃとなる。
【００２３】
溶接中の電力（溶接電流×溶接電圧）は主に溶接ワイヤや溶接物を溶かす熱として消費されるが、一部は光として消費され、アーク期間Ａではアーク放電による発光（以下”アーク光”と記す）として消費され、短絡期間Ｄにおいてはワイヤ先端が溶融し溶融池に短絡している状態の溶滴とワイヤ先端が白熱電球のフィラメントの役割をした発光（以下”短絡光“と記す）として消費される。
【００２４】
溶接中の溶接線などを撮影する観点から撮影用照射光源に着目すると、溶融池の溶融金属自身の発光に加え、アーク期間Ａにはアーク光が撮影用照射光源に、短絡期間Ｄにおいては短絡光が撮影用照射光源となる。
【００２５】
人の目には常に明るく光る溶接光は、溶接中のその時々の電力（時々の、溶接電流波形値×溶接電圧波形値）の一部が光になることから、ミリ秒の単位で見ると明るさは一定ではなく、アーク期間Aと短絡期間Ｄではアーク光と短絡光と発光原理が異なり、光の質や明るさそして光源の大きさも異なり、またアーク期間Ａと短絡期間Ｄのそれぞれの期間内でも時々の溶接電圧と溶接電流に相関して光源の大きさや明るさが変化する。
【００２６】
一般的に被写体を鮮明に撮影する場合、適度な照度（全体の明るさ）と共に明暗差が極度に大きくない画面構成であること、例えば周囲に明る過ぎる大きな発光体が無いこと（例えば逆光を避ける）、仮に発光体がある場合にはその発光体の画面に占める割合が小さいことが重要となる。
【００２７】
溶接施工ではトーチを溶接線に沿って動かすことが大切であり、この溶接線を認識するために溶接中の溶接部直近の溶接線を撮影する場合、強く光る大きなアーク光が画面の一部を占めこれに照らされた溶接線撮影より、短絡直後でワイヤの先端が溶け始めた小さな溶滴が発する短絡光、この溶滴（発光体）は画面に占める割合も小さく、かつ溶接電流も溶接電圧も短絡直後は最も低いため短絡光は最も弱く、この小さな光源と弱い光に照射された溶接線撮影は明暗差も少なく、この時が溶接線の撮影には最も適しているといえる。
【００２８】
図１に示す、起動ブロックＸは、溶接電源３から溶接中の溶接電圧と溶接電流を波形解析信号発生器２に取り込み、時々の溶接電圧や溶接電流が図２に示す予め定められた閾値Ｌに達したときにシャッター起動信号６を発するブロックである。
【００２９】
例えば、溶接線を撮影する場合には、図２の溶接電圧波形Ｖの値が閾値Ｌ１より高い値の時はアーク期間Ａ、低い値の時は短絡期間Ｄと見なし、溶接電圧波形Ｖが閾値Ｌ１より高い値から閾値Ｌ１に達した時がアーク期間Ａから短絡期間Ｄに移行した短絡直後のタイミングと見なし、この撮影タイミングＰ１で波形解析信号発生器２はシャッター起動信号６を発する。（図１、図２参照）
【００３０】
短絡時の溶接電圧は０〜１Ｖ程度と言われるが、溶接電源の出力端子付近で溶接電圧を検出する場合にはチップの接触抵抗やチップから出たワイヤの抵抗など溶接電流が流れる経路の種々の電気抵抗のため短絡直後の最低電圧Ｖｄ（図２）は５Ｖ程度になることもあり、閾値Ｌ１は溶接電圧波形の最高値Ｖｐ（図２）と溶接電圧波形の最低値Ｖｄの間であればどのような値でも良いが、一般的な溶接条件表に示される溶接電圧の半分程度の値あるいはその値より数Ｖ上の値が閾値Ｌ１として適当である。
【００３１】
後述するようにカメラ１にとって撮影に必要な光量が不足する場合には発光量（溶接電流×溶接電圧に比例）が多いと見なされる、Ｐ１から遅延時間ｕ１が過ぎた撮影タイミングＰ２，短絡期間Ｄと見なされる閾値Ｌ１より低い電圧の時に（またはＰ１の後）溶接電流が閾値Ｌ２に達した撮影タイミングＰ３など、撮影条件により予め定められた閾値Ｌあるいは閾値Ｌからの遅延時間ｕで制御される短絡期間Ｄ内の撮影タイミングＰでシャッター起動信号６を発しても良い。（図２参照）
【００３２】
近年、スパッタ低減を目的とした種々の溶接制御が開発されているが、ここでは溶接波形から次の短絡予測や強制的アーク移行などの制御を行っており、この制御を流用してシャッター起動信号６を発する、例えば短絡予測の一つであるアーク期間Ａと見なされる溶接電圧が閾値Ｌ１より高い時に溶接電流が閾値Ｌ３より高い値から閾値Ｌ３に達した撮影タイミングＰ４でシャッター起動信号６を発しても良い。この時は短絡直前でアーク光は非常に小さく光量は少ない状態で、また閾値Ｌ３の値によっては撮影（露出時間Ｗ）が短絡期間にずれ込む場合もある。（図２参照）
【００３３】
起動ブロックＸの機能の一つは、（後述するシステムとして繰り返し撮影をするための処理完了信号１９等を受けた後、）波形解析信号発生器２が溶接電源３から溶接中の溶接電圧や溶接電流を取り込み、溶接電圧や溶接電流が予め定められた閾値Ｌに達した時に、あるいはその時から遅延時間ｕが経過した時にシャッター起動信号６を撮影ブロックＹに発することである。（図１，図４参照）
【００３４】
近年のカメラの性能について言及すると、カメラが図５に示すようにノズル１３の内側から溶接部を撮影する場合、汎用的なノズル使用では出口内径による視界制限のため被写体の大きさはΦ２０ｍｍ程度に限定され、この程度の被写体サイズでは３０万画素もあれば溶接作業者が目視している溶接部の状況をイメージできる画像の緻密さ（一画素当たり約０．０５×０．０５ｍｍの分解能）があり、３０万画素程度の汎用小型カメラでは、携帯電話用等のカメラの技術革新により静止画像撮影のシャッターの最高速度は１／１００００秒（０．１ｍｓｅｃ）以上程度の性能になっている。
【００３５】
短絡期間Ｄが最短の２ｍｓｅｃを想定すると、シャッター速度１／１００００秒すなわち露出時間Ｗが０．１ｍｓｅｃで撮影した場合、最短短絡期間Ｄの１／２０の時間の現象の撮影が可能、例えば撮影タイミングＰ１で発せられたシャッター起動信号６を受け撮影した場合、短絡直後で短絡したワイヤが溶融し始めた直後で発光光源が最も小さくかつ溶接電流も最も少なく光量が少ない時、撮影する観点から考えると撮影画面に占める発光光源が小さくかつ光源の短絡光が最も弱い時の撮影で、溶接線撮影には最も適した時に撮影が出来ることになる。
【００３６】
溶接施工で使用する溶接光保護マスクの遮光フィルターの光の透過度は１％程度で遮光フィルターを外すと１００倍の明るさ、また作業者の目の位置はアークから５０ｃｍ程度であるのに対しトーチに内蔵したカメラ１の位置はアークから約１０ｃｍであり距離の比は５０/１０＝５、明るさは距離の自乗に反比例するので作業者の目の位置の明るさに対するカメラ位置の明るさは２５倍となり、カメラに溶接用遮光フィルターを取り付けない状態では作業者が遮光フィルターを通して見ている１００×２５＝２５００倍がカメラ１の受光素子の明るさとになり、シャッター速度が高速でも十分撮影出来る明るさがある。
【００３７】
ただ、カメラ１には主として受光素子保護を目的とした紫外線・赤外線遮断フィルターと画像の鮮明化を目的とした光学フィルター等からなるフィルターユニット７が取り付けられており、例えばカメラ１の受光素子にとって短絡直後Ｐ１の撮影タイミングの短絡光の明るさと１／１００００秒の露出時間Ｗでは光量不足の場合は、撮影を開始する撮影タイミングは短絡直後のＰ１として、ただしアーク光が発生する可能性がない短絡期間Ｄ内に必ず撮影が完了するようにカメラ１の露出時間Ｗを短絡期間Ｄの最小値２ｍｓｅｃ以内、すなわちシャッター速度を１／５００秒（２ｍｓｅｃ）を限度として長く設定して光量を増し溶接部を静止画像撮影しても良い。
【００３８】
あるいは必要な明るさ（溶接電流×溶接電圧）の溶接電流や溶接電圧になった時、例えばＰ１から遅延時間ｕ１が経過した撮影タイミングＰ２や、Ｐ１後の溶接電流が閾値Ｌ２に達した撮影タイミングＰ３で撮影することも出来る。（撮影タイミングＰ２やＰ３の場合はシャッター速度によっては短絡期間Ｄ内に必ず撮影が完了するとは限らず、この対応は後述する。）
【００３９】
撮影ブロックＹの機能の一つは、起動ブロックＸからのシャッター起動信号６を受けてカメラが定められたシャッター速度（露出時間Ｗ）で溶接部を撮影し（イメージデータ１６−１を生成）、その画像データ１６を利用ブロックＺに転送することである。（図１，図４参照）
【００４０】
なお、前述したように撮影に際し、短絡周期Ｆに関わらず短絡光のみを撮影光とする場合には短絡期間Ｄで必ず撮影が完了するシャッター速度（露出時間Ｗ）を最長１／５００秒（２ｍｓｅｃ）を限度として溶接部を撮影する必要がある。
【００４１】
短絡移行はアーク長の自己制御作用、ワイヤの送給性、溶融プールの揺動などの総合的な結果の移行形態で一般的に短絡期間Ｄは約２〜２０ｍｓｅｃとなるが、時に瞬時短絡Ｅ（図２の中段の溶接電圧波形参照）といわれる短絡期間Ｄがきわめて短く瞬時にアーク期間Ａに復帰する現象が有る。瞬時短絡Ｅが発生した時、溶接電圧波形Ｖが閾値Ｌ１より高い値から閾値Ｌ１に達する為撮影タイミングＰ１となりシャッター起動信号６が発せられカメラ１は撮影を実行、この画像はアーク光のため過剰露出の画像（後述の未使用画像Ｈ；図１，２参照）となる。
【００４２】
この対策として露出時間Ｗの時間中にアーク期間Ａになった場合はこの静止画像を未使用とする。
【００４３】
具体的な一つの方法は溶接電圧が閾値Ｌ１（この明細書では撮影タイミングＰ１と同じ閾値Ｌ１を便宜上用いているがこの閾値Ｌは溶接電圧波形の最高値Ｖｐと溶接電圧波形の最低値Ｖｄの間であれば撮影タイミングＰ１の閾値Ｌ１と異なるどのような値でも良い）より低い値から閾値Ｌ１に達した時をアーク期間Ａに復帰した撮影停止タイミングＯとして、波形解析信号発生器２からシャッター停信号７を発信する。（図２参照）
【００４４】
そして例えばストップウオッチ８を設け、ストップウオッチ８はシャッター起動信号６でタイマーをリセットして計測を開始し、シャッター停止信号７で計測を停止する。ストップウオッチ８の計測値である短絡光撮影時間Ｒが露出時間Ｗより長い場合は露出時間Ｗの間は短絡光であったためカメラ１からの画像を有効とし、短絡光撮影時間Ｒが露出時間Ｗ以下の場合は露出時間Ｗ中に短絡光からアーク光（アーク期間）なったため撮影した画像を未使用（図１、図２の未使用画像Ｈ）とする画像判定ユニット９を設ける。（図１、図４参照）
【００４５】
このようにすることで、瞬時短絡Ｅの時の画像はもちろん、撮影タイミングＰ２やＰ３での撮影（露出時間）がアーク期間Ａにずれ込んだ場合の過剰露出画像も未使用とすることができる。またカメラ１の性能が低く１／５００以上の露出時間Ｗが必要な場合、カメラ１に必要な長い露出時間Ｗを設定すると、短絡光撮影時間Ｒが露出時間Ｗより長い場合のみ撮影できる。（短絡光撮影時間Ｒが露出時間より短い時に撮影した画像は画像判定ユニット９により未使用となる。）ただし露出時間Ｗより長い短絡光撮影時間Ｒの発生率は長い短絡期間Ｄの発生率に相関し、短絡期間Ｄの短い溶接状態では撮影枚数は減少、後述する動画としての性能は落ちるが、カメラ１の性能が低い場合でも溶接線を撮影することは出来る。
【００４６】
起動ブロックＸの二つ目の機能は、波形解析信号発生器２が溶接電源３から溶接中の溶接電圧を取り込み、溶接電圧が閾値Ｌ１より低い値から閾値Ｌ１に達した時、シャッター停止信号７を発することである。（図１、図２、図４参照）
【００４７】
撮影ブロックＹの二つ目の機能は、このシャッター停止信号を用いて露出時間Ｗの撮影時間中にシャッター停止信号７が発せられアーク期間Ａになったと判定した場合はこの静止画像を未使用とすることである。（図１、図４参照）
【００４８】
なお、この具体的な判定方法の一つとして上記のストップウオッチ８や画像判定ユニット９を設けるが、これらは後述の利用ブロックＺに在っても良い。
【００４９】
図４を参照しながら一枚の静止画像の撮影からこの画像の利用までの一連の処理を述べる。カメラ１は撮影タイミングＰから露出時間Ｗで撮影しイメージデータ１６−１を生成、カメラ内部でのフレーム転送を行う。続いて撮影が瞬時短絡Ｅ等で撮影された画像ではないことを画像判定ユニット９で判定した後、撮影したイメージデータ１６−１に後述の撮影時刻データ１６−２をメタデータとして付加するなどのカメラ動作Ｓ（図２下段参照）を行う。イメージデータ１６−１とメタデータ１６−２で構成される画像データ１６を撮影ブロックＹから利用ブロックＺに転送する。利用ブロックＺでは転送された画像データ１６をバッファー処理ユニット１７に格納する。そして前後の画像データの撮影時刻差である撮影時間間隔ｔを計算し、この撮影時間間隔ｔからなる撮影時間間隔データ１６−３を前画像データのイメージデータ１６−１のもう一つのメタデータとして付加する等の作業を行う。その後溶接光保護マスク４・ロボット５パソコン２０等の利用機器に画像データ１６を転送し、利用機器はこの画像データ１６を利用する。なお、録画再生機能が不要の場合には撮影時刻データ１６−２と撮影時間間隔データ１６−３のメタデータ付加処理をバイパスしても良い。
【００５０】
利用ブロックＺの一つ目の機能は撮影ブロックＹから転送された静止画像の画像データ１６を利用機器に転送し、利用機器がこの画像データ１６を利用することである。
【００５１】
上述のように撮影タイミングＰでの撮影から始まり利用機器への画像転送が完了するまでには多くの行程が有りこれらの処理を行う処理時間が必要である。上述の静止画像を撮影後、引き続き連続して次の静止画像を撮影することを想定すると、もし撮影から利用機器への画像データ転送の完了までの処理中に次の撮影タイミングＰが発生しても、次の撮影から利用機器への画像データ転送という一連の処理は不可能である。このため現在処理中の一連の静止画像撮影処理が完了した時、図４に示すように利用ブロックＺから処理完了信号１９を起動ブロックＸの波形解析信号発生器２に送り、波形解析信号発生器２がこの処理完了信号１９を受け取った後、次の撮影タイミングＰで波形解析信号発生器２はシャッター起動信号６を発する必要がある。
【００５２】
前述の画像判定ユニット９の判定により撮影した静止画像が未使用となった場合は、未使用という特殊な静止画像撮影処理が完了したとみなし、利用ブロックＺから処理完了信号１９を起動ブロックＸの波形解析信号発生器２に送る。
【００５３】
溶接開始で撮影した最初の撮影後、引き続き連続しての次以降の撮影は、波形解析信号発生器２が処理完了信号１９を受けた後、前撮影と同じ撮影タイミングPでシャッター起動信号６を発し、カメラ１は次の静止画像を撮影、この一連の動作が撮影時間間隔ｔ（ｔ１，ｔ２，ｔ３，ｔ４，ｔ・・）で繰り返される。（図２参照）
【００５４】
なお、次以降の撮影には利用ブロックＺからの処理完了信号９を用いず、一定の時間後に自動的に引き続き連続しての次の撮影を行う、具体的には、起動ブロックＸの波形解析信号発生器２がシステム全体で決まる一連の画像データが処理可能となる一定の処理時間が経過したことを確認した後の次の撮影タイミングPでシャッター起動信号６を発信し撮影しても、または波形解析信号発生器２のシャッター起動信号６は撮影タイミングP毎に発信し続けこれを受けた撮影ブロックＹがシステム全体で決まる一連の画像データが処理可能となる一定の処理時間が経過したことを確認（図４のＫ）した後のシャッター起動信号６で次の撮影をしてもよい。また短絡周期Ｆが短く利用するには撮影画像数が多すぎる時には、次の次など必要な画像数になるまで撮影タイミングＰを飛ばして撮影してもよい。
【００５５】
利用ブロックＺの二つ目の機能は、一連の静止画像撮影処理が完了した時、処理完了信号１９を起動ブロックＸに送ることである。（図１、図２参照）
【００５６】
起動ブロックは利用ブロックＺからの処理可能信号１９を受けた後等において、前述の一連の処理である波形解析信号発生器２の溶接電圧や溶接電流が予め定められた閾値Ｌに達した時等の次の撮影タイミングＰでシャッター起動信号６を撮影ブロックＹに発し次の静止画像１８を撮影するが、この次の撮影タイミングＰまでの時間は短絡周期Ｆに依存する。
【００５７】
人の目に動画として見えるようにするには少なくとも毎秒１０枚程度（均等割りで０．１秒間隔）の静止画像を連続放映する必要がある。溶接現象の最大短絡周期は１００ｍｓｅｃ程度のため毎秒１０回以上の撮影タイミングＰが有る。またカメラ１での撮影処理や後述のバッファー処理ユニット１７での処理時間と画像データ転送時間等の一連の処理時間は３０万画素程度のイメージデータの場合では一般的に最長１００ｍｓｅｃ以下のため毎秒１０画像以上の処理が可能である。この結果システムの性能として動画として見るに必要な毎秒１０画像程度の撮影タイミングＰでの静止画像の撮影と利用機器への画像データ１６の転送が出来る。画像データ１６を録画再生する必要が無いときは図４の“録画再生機能不要の場合”のバイパスを用い、例えば溶接光保護マスク４のディスプレー４にイメージデータ１６−２を連続して放映すると作業者は溶接線とチップの位置関係をリアルタイムに動画で見ることが出来る。
【００５８】
溶接施工確認等のため、画像データ１６をパソコン２０に保存し必要なときにこれを動画として放映する場合を想定しこの方法を考えると、一般の動画は等時間間隔のコマ画像の放映であるのに対し、撮影が短絡周期Ｆに依存して等時間間隔ではない連続する静止画像を動画として録画再生（一連の画像データ１６をパソコン２０で保存し表示する）するためには、前の静止画像を放映し、前の静止画像撮影と次の静止画像撮影の撮影時間間隔ｔが経過した時に次の静止画像を放映する、これを図３のように繰り返す（スライドショーのスライド表示時間間隔を等時間間隔ではなく撮影時間間隔ｔの不等時間間隔とする）ことにより撮影時間と同じ時間で再生放映が出来る。
【００５９】
このため、撮影した画像データ１６には撮影時間間隔ｔをデータとするメタデータの撮影時間間隔データ１６−３が必要となるが、撮影時間間隔データ１６−３の撮影時間間隔ｔの時間単位が粗い場合は時間単位の丸め誤差により撮影開始から終了までの撮影総時間と放映開始から終了までの放映総時間の誤差が大きくなる。
【００６０】
録画再生で動画として見る場合は、少なくとも毎秒１０枚程度の静止画像を撮影総時間と同じ時間で放映することが必要で、このためには撮影時間間隔データ１６−３の撮影時間間隔ｔの精度は毎秒１０枚の均等割り時間０．１秒の一桁下の０．０１秒単位以下でなければならない。
【００６１】
この録画再生機能のために、人や風景を撮影する一般の静止画像には必要の無い０．０１秒単位以下の撮影時刻（溶接開始を時刻＝０．０秒としても良い）を、例えば内蔵するｍｓｅｃ精度の時計を用いてｍｓｅｃ単位の撮影時刻データ１６−２を画像データ１６のメタデータとして付加する。
【００６２】
撮影時刻データ１６−２から撮影時間間隔データ１６−３を生成し付加する方法の一つの事例を示すと、図４に示すようにバッファー処理ユニット１７に画像レジスタ２１と前画像レジスタ２２の二つのレジスタを設ける。撮影ブロックＹから撮影時刻データ１６−２をメタデータして持つ画像データ１６を画像レジスタ２１に転送し格納する。この画像レジスタ２１の画像データの撮影時刻データから後述する前画像レジスタ２２に格納されている（画像レジスタ２１の画像データより）ひとつ前に撮影された画像データの撮影時刻データを引き算する。すなわち前後の画像の撮影時刻の差である撮影時間間隔ｔをバッファー処理ユニット１７が計算する。この撮影時間間隔ｔを前画像レジスタ２２に格納されている画像データ１６のもう一つのメタデータとして撮影時間間隔データ１６−３を付加する。
【００６３】
この付加処理の後、前画像レジスタ２２に有る画像データ１６は利用機器に転送され、利用機器はこの画像データ１６を利用する。
【００６４】
この利用機器への画像データ１６の転送が完了し前画像レジスタ２２が空き状態となった後、画像レジスタ２１の画像データ１６を切り取り前画像レジスタ２２に貼り付け格納する。その結果、画像レジスタ２１は空き状態となり、次の画像データが撮影ブロックＹから画像レジスタ２１に転送され格納されることが可能となる。一方、前画像レジスタ２２には上記の貼り付け処理により撮影ブロックＹから転送されてくる画像データより一つ前に撮影した画像データ１６が格納されているため、上記の前後の画像の撮影時刻の差すなわち撮影時間間隔ｔの計算が可能となる。なお、溶接開始直後の画像データ１６は特例処理により前画像レジスタ２２に格納され、溶接終了直前の画像データ１６も特例処理により撮影時間間隔データ１６−３が無い状態で利用機器に転送される。
【００６５】
利用機器に転送される前画像レジスタ２２の画像データは撮影ブロックＹから転送される画像データからみて一つ前の画像データとなる。このため利用機器が溶接時にリアルタイムに画像データ１６を利用する場合には利用機器に転送される画像データ１６は撮影間隔時間（最大で短絡期間Ｄの最大値１００ｍｓｅｃ程度）だけ遅くなる。録画再生ではこれは問題とならない。
【００６６】
撮影ブロックＹの三つ目の機能は、システムとして録画再生機能が必要な場合はイメージデータ１６−１のメタデータとして、０．０１秒単位以下の撮影時刻データ１６−２を付加した画像データ１６を利用ブロックＺに送ることである。（図４参照）
【００６７】
利用ブロックＺの三つ目の機能は、システムとして録画再生機能が必要な場合は前後の画像データ１６の撮影時刻データ１６−２の差を撮影時間間隔データ１６−３として前の画像データ１６のメタデータに書き加えることである。（図４参照）  そして録画再生する利用機器は前の画像データ１６のイメージデータ１６−１を放映し、撮影時間間隔データ１６−３の撮影時間間隔ｔが経過した後に次の画像データ１６のイメージデータ１６−１を放映する。（図３参照）
【００６８】
なお、画像データ１６の撮影時間差データ１６−３の撮影時間差はカメラ１が撮影した時刻の時刻差の他、利用ブロックＺに時計を内蔵し撮影ブロックＹから利用ブロックＺのバッファー処理ユニット１７に画像データ１６が転送された時刻を撮影時刻としこの時刻差など、画像データの特定の処理時刻を撮影時刻としこの時刻差を撮影時間差データ１６−３としても良い。
【００６９】
また、不等時間間隔の静止画像を画像処理することにより撮影総時間と同じ表示放映時間のチラツキの少ない円滑な動画にすることも出来る。
【００７０】
利用ブロックＺの機器がロボット５の場合、溶接線倣い制御には溶接線が鮮明に写る撮影タイミングＰ１での短絡光撮影、更に溶接仕上がり形状制御としてビード幅の情報が必要な場合には、仮にビード幅が一番よく写るのは撮影タイミングＰ４であるとして、撮影タイミングＰ４での撮影など、数種類の撮影タイミングＰで撮影しても良い。
【００７１】
この場合、撮影タイミングをＰ１とＰ４を交互に繰り返しても良いし、利用ブロックＺからの処理完了信号９に必要な撮影タイミングＰに関する情報を含めた信号を発信し、これを受けた波形解析信号発生器２は要求された撮影タイミングＰでシャッター起動信号６を発し必要な撮影タイミングＰの撮影をしても良い。
【発明の効果】
【００７２】
溶接電圧波形Ｖ、溶接電流波形Ｃと閾値Ｌを用いて撮影に適する光源の大きさや光量に照射された撮影タイミングＰで溶接部を撮影することで、高価な専用高性能カメラに比較しダイナミックレンジの低い日常生活に使用する安価な汎用小型カメラ１でも溶接線を鮮明に撮影ができる。図６にディスプレー画像の事例（１８−２）として示す。
【００７３】
汎用的な溶接施工では短絡周期Ｆの最大値は一般的に１００ｍｓｅｃ程度、従って同じ溶滴移行現象の撮影タイミングＰが少なくとも毎秒１０回程度発生し、システム全体で決まる次の画像データが撮影可能となる最長処理時間は３０万画素程度では一般的に１００ｍｓｅｃ以下のため、同じ撮影タイミングＰで撮影した静止画像を少なくとも毎秒１０画像程度の撮影ができ、これをディスプレーに表示するとリアルタイムに動画として見ることが出来る。またこれをパソコンで録画再生（保存と表示）する場合にはこの各画像データに０．０１秒単位以下の撮影時間間隔ｔが分かるメタデータを加えることにより、静止画像を撮影時間間隔ｔで次々に放映すると、ディスプレーには少なくとも毎秒１０画像程度の静止画像が撮影時間と同じ時間で連続放映され人の目には施工状況を再現する動画として見ることができる。
【００７４】
短絡周期Ｆの逆数である短絡回数が平均で毎秒２４回とすると、この方法では同じ溶撮影タイミングＰの２４個の静止画像が撮影され連続放映されるが、同じ毎秒２４画像（コマ）でも撮影時間間隔が均等である一般の動画撮影の場合は短絡周期のばらつきのため短絡直後のコマ画像や大きなアークが在るコマ画像等が混在し、放映時には大きなアークのコマ画像が人の目には残像として残り、仮に短絡直後の溶接線が鮮明に写されたコマ画像があったとしてもこれを人は認識することは出来ない。
【００７５】
このように日常生活で使用する安価な汎用小型カメラ１でも溶接線が鮮明に撮影出来る短絡期間を主体とした撮影タイミングＰで静止画像を繰り返し撮影し、この静止画像を連続して放映することで素人でも熟練した溶接作業者が目視し頭脳で認識している状況と同様の溶接部の状況、溶接線を鮮明に動画として見ることが出来る。
【図面の簡単な説明】
【００７６】
【図１】溶接電源３と波形解析信号発生器２からなる起動ブロックＸと、カメラ１・フィルターユニット１４とストップウオッチ８・画像判定ユニット９からなる撮影ブロックＹと、バッファー処理ユニット１７と溶接光保護マスク４・ロボット５・パソコン２０などからなる利用ブロックＺの３種のブロックと各ブロック間の信号や画像データの流れを示すシステム全体のイメージ図
【図２】図の上段は溶接電流波形Ｃ、中段は溶接電圧波形Ｖ、そして各波形の図中に閾値Ｌと撮影タイミングＰや撮影停止タイミングＯの関係を示し、下段はカメラ動作Ｓのイメージ、これらを時間が左から右に進む水平軸上に描いた図
【図３】静止画像１８を不等時間間隔ｔで連続して放映（静止画像１８−１）するイメージ図
【図４】３種類のブロックとその各ブロック内の機器とデータ処理や画像データや信号の流れを描いたフローチャート
【図５】カメラを内蔵する溶接トーチ１０と内蔵するカメラ１の事例の写真
【図６】ディスプレー４−３を内蔵した溶接光保護マスク４の事例、図の左側は正面（４−１）から、右側は裏面（４−２）からの写真、右斜め上はディスプレー（４−３）に放映される溶接線が見えるディスプレー画像の事例（１８−２）の写真
【発明を実施するための形態】
【００７７】
汎用溶接トーチ１０のトーチ本体１１にカメラ筐体１２を取り付けノズル１３内側から溶接前後２方向を撮影する２台のカメラ１を内蔵したトーチの実施例を図５に示す。
【００７８】
汎用的な溶接光保護マスク４にディスプレー４−３を取り付けカメラ１で撮影した画像１８−２を表示する撮影画像利用機器の実施例を図６に示す。
【００７９】
図１は起動ブロックＸと撮影ブロックＹと利用ブロックＺの、Ｘ・Ｙ・Ｚ３種のブロックで一つのシステムを構成することにより、日常生活で使用する安価な汎用小型カメラを用いて溶接部を鮮明に撮影するには不足する安価なカメラの性能を溶滴移行現象の短絡期間で主として撮影するという方法で補完したシステムの全体を表す実施例である。この各ブロックとその各ブロック内の機器とデータ処理や画像データや信号の流れをフローチャートで示した図４と共に実施例の詳細を説明する。
【００８０】
波形解析信号発生器２は溶接電源３の溶接電圧波形Ｖが溶接電源の電圧計が示す略半分の電圧の閾値L1（図２参照）より高い電圧からを閾値L1に達した時（撮影タイミングＰ１）にシャッター起動信号６を、閾値Ｌ１より低い電圧からを閾値L1に達した時（撮影停止タイミングＯ）にシャッター停止信号７をカメラ１に送る。
【００８１】
溶接トーチ１０の先端部のカメラ筐体１２の内部に取り付けたカメラ１は筐体の覗き穴からノズル１３内側を通して溶接物１４を撮影する視方向に取り付けられている。
【００８２】
カメラ１には主として受光素子（図示せず）保護を目的とした紫外線・赤外線遮断フィルターと画像の鮮明化を目的とした光の波長により透過率が異なる干渉フィルターと光量制御を目的とした電圧により透過率を変えることが出来る液晶フィルターからなるフィルターユニット１４がカメラ１のレンズに取り付けられている。
【００８３】
カメラ１はシャッター起動信号６を受けて、予め定められた１／５００秒より短時間の露出時間Ｗで全ての受光素子（画素）の露光を完了し、カメラ内部のフレーム転送をへて１枚の静止画像のイメージデータ１６−１を生成する。
【００８４】
ストップウオッチ８はシャッター起動信号６で時間計測を始めシャッター停止信号７で計測を停止し、この測定した時間を短絡光撮影時間Ｒとして露光時間Ｗと比較する。画像判定ユニット９は短絡光撮影時間Ｒが露出時間Ｗ以下（引き算の差がマイナスまたはゼロ）の場合はこのイメージデータ１６−１を使用せず後述する処理完了信号１９を発する。
【００８５】
短絡光撮影時間Ｒが露出時間Ｗより長い（引き算の差がプラス）場合はカメラ１からの静止画像のイメージデータ１６−１にｍｓｅｃ単位の撮影時刻データ１６−２をメタデータとして付加した画像データ１６を生成し利用ブロックに転送する。なお、撮影時刻データ１６−２を取得する為に使用する時計は溶接開始と共にカウントアップする内蔵時計（図４参照）でｍｓｅｃ単位の精度をもつ時計である。
【００８６】
図４に示すようにバッファー処理ユニット１７には画像レジスタ２１と前画像レジスタ２２の二つのレジスタが有り、撮影ブロックＹから転送された画像データ１６は画像レジスタ２１に格納される。前回撮影の画像データは前画像レジスタ２２に格納されていて、それぞれの画像データのメタデータである撮影時刻データの差である撮影時間間隔ｔを算出し、これを撮影時間間隔データ１６−３として前画像レジスタ２２にある前回撮影の画像データ１６のメタデータに付加する。
【００８７】
前画像レジスタ２２にある撮影時間間隔データ１６−３のメタデータが書き加えられた前回撮影の画像データ１６は利用機器に転送される。
【００８８】
前画像レジスタ２２にある前回撮影の画像データ１６が利用機器へ転送完了した時、画像レジスタ２１にある画像データは切り取られ利用機器への転送により空になった前画像レジスタ２２に貼り付けられる。画像レジスタ２１は画像データの切り取りにより空き状態で次の画像データ１６を格納することが出来る。
【００８９】
また、前画像レジスタ２２に格納されている画像データ１６が利用機器へ画像転送完了した時、撮影から始まった一連の静止画像撮影処理が完了し、バッファー処理ユニット１７は処理完了信号１９を、波形解析信号発生器２に送る。
【００９０】
波形解析信号発生器２は処理完了信号９を受信した後、前回撮影と同じ撮影タイミングＰ１になったときにシャッター起動信号６をカメラ１に送る。
【００９１】
この一連の動作が図２の下段に示すように撮影時間間隔ｔ（ｔ１、ｔ２、ｔ３・・・）で繰り返される。
【００９２】
パソコンで録画再生（保存と表示）する場合は図３に示すように画像データ１６のイメージデータ１６−１をメタデータ１６−３の撮影時間間隔ｔ（ｔ１、ｔ２、ｔ３・・・）で次々に連続して放映（スライドを撮影時間間隔tで順次表示）する。（図３の連続する画像のイメージ１８−１参照）
【符号の説明】
【００９３】
１  カメラ
２  波形解析信号発生器
３  溶接電源
４  溶接光保護マスク
４−１  正面から見る
４−２  裏面から見る 
４−３  ディスプレー 
５  ロボット
６  シャッター起動信号
７  シャッター停止信号
８  ストップウオッチ
９  画像判定ユニット
１０  トーチ
１１  トーチ本体
１２  カメラ筐体 
１３  ノズル
１４  フィルターユニット
１５  溶接物
１６  画像データ
１６−１  イメージデータ
１６−２  撮影時刻データ
１６−３  撮影時間間隔データ
１７  バッファー処理ユニット
１８  静止画像
１８−１  連続する画像のイメージ
１８−２  ディスプレー画像の事例
１９  処理完了信号
２０  パソコン
２１  画像レジスタ
２２  前画像レジスタ
Ｃ  溶接電流波形
Ｖ  溶接電圧波形
Ｄ  短絡期間
Ａ  アーク期間
Ｆ  短絡周期
Ｌ  閾値
Ｐ  撮影タイミング
Ｗ  露出時間
Ｓ  カメラ動作（イメージ）
ｕ  遅延時間
Ｅ  瞬時短絡
Ｏ  撮影停止タイミング
Ｈ  未使用画像（イメージ）
ｔ  撮影時間間隔
Ｒ  短絡光撮影時間
Ｖｐ  溶接電圧波形最高値
Ｖｄ  溶接電圧波形最低値
Ｋ  処理時間経過
Ｘ  起動ブロック
Ｙ  撮影ブロック
Ｚ  利用ブロック
【図１】
2018187651.tif 000003
【図２】
2018187651.tif 000004
【図３】
2018187651.tif 000005
【図４】
2018187651.tif 000006
【図５】
2018187651.tif 000007
【図６】
2018187651.tif 000008